(57)【要約】【課題】使用中の配管設備等の内設物を内部に有する筒状構造物を、上方から落下する解体片等からその内設物を防護しながら解体する。【解決手段】解体される筒状構造物（煙突１）の内部にある内設物（蒸気配管２）の上方に床部３を設け、この床部３には内設物のない領域の上方に開口部５が設けられ、この内設物の開口部５側の側方に壁部４を設ける。そして、床部３は、開口部５に向かって下方に傾斜させる。床部３及び壁部４で落下する解体片７等から内設物を防護し、また床部３上を開口部に向かって転がらせ自然に落下させる。よって、内設物を解体片７等から防護するとともに、筒状構造物を解体することができる。【選択図】図１
2006029001.tif 000002
【特許請求の範囲】
【請求項１】
解体される筒状構造物の内部にある内設物の上方に設けられる床部を備え、
この床部には前記内設物のない領域の上方に開口部が設けられていることを特徴とする筒状構造物解体における内設物防護構造。
【請求項２】
前記内設物の前記開口部側の側方に設けられる壁部を備えることを特徴とする請求項１に記載の筒状構造物解体における内設物防護構造。
【請求項３】
前記床部は前記開口部に向かって下方に傾斜していることを特徴とする請求項１または２に記載の筒状構造物解体における内設物防護構造。
【請求項４】
前記内設物を取り囲むように組み立てられ、前記筒状構造物の内壁面に固定される鉄骨架台を備え、
この鉄骨架台に前記床部および壁部が取り付けられていることを特徴とする請求項１から３のいずれか一項に記載の筒状構造物解体における内設物防護構造。
【請求項５】
前記床部はコンクリートスラブであり、前記壁部は鉄板であることを特徴とする請求項１から４のいずれか一項に記載の筒状構造物解体における内設物防護構造。
【発明の詳細な説明】
【技術分野】
【０００１】
本発明は、使用中の配管設備等の内設物を内部に有する筒状構造物を解体する際に、この内設物を上方から落下する解体片により破損することを防ぐための、筒状構造物解体における内設物防護構造に関する。
【背景技術】
【０００２】
従来、煙突等の筒状構造物を上部から破砕して解体する場合には、筒状構造物の内部を通って上方から解体片が落下するおそれがある。また、筒状構造物を破砕して、破砕したブロック片を、筒状構造物の中空部を通して落下させ、底部に設けられた下部開口から取り除いて行う解体方法もある（例えば、特許文献１参照。）。
【０００３】
ところで、筒状構造物の内部に内設物が存在する場合、例えば、老朽化して使用していない煙突の内部空間を利用して配管設備等を設置する場合がある。
【特許文献１】特開２００３−１８４３２０号公報
【発明の開示】
【発明が解決しようとする課題】
【０００４】
上記のように、煙突の内部に使用中の配管設備等がある場合には、煙突を従来のようにただ単に破砕して解体することができない。使用中の配管設備等が破損すれば、工場等の施設が急停止し、または大事故につながるおそれがあるためである。
【０００５】
本発明の課題は、使用中の配管設備等の内設物を内部に有する筒状構造物を、上方から落下する解体片等からその内設物を防護しながら解体することである。
【課題を解決するための手段】
【０００６】
以上の課題を解決するため、請求項１に記載の発明の筒状構造物解体における内設物防護構造は、例えば図１に示すように、解体される筒状構造物（煙突１）の内部にある内設物（蒸気配管２）の上方に設けられる床部３を備え、この床部には前記内設物のない領域の上方に開口部５が設けられていることを特徴とする。
【０００７】
このように、解体される筒状構造物がその内部に防護すべき内設物を有する場合に、この内設物の上方に床部３を設けることにより、この床部３が上方から落下してくる解体片７等を遮る。また、床部３の内設物のない領域の上方に開口部５を設けることにより、解体片７等がその開口部５を通して筒状構造物の底部へと落下する。したがって、内設物を解体片７等から防護するとともに、筒状構造物を解体することができる。
【０００８】
請求項２に記載の発明は、請求項１に記載の筒状構造物解体における内設物防護構造において、例えば図１に示すように、前記内設物の前記開口部５側の側方に設けられる壁部４を備えることを特徴とする。
【０００９】
このように、内設物の開口部５側の側方に壁部４を設けることにより、この壁部４が開口部５を斜め方向に通過して落下する解体片７等を遮り、内設物を解体片７等から防護することができる。
【００１０】
請求項３に記載の発明は、請求項１または２に記載の筒状構造物解体における内設物防護構造において、例えば図１に示すように、前記床部３は、前記開口部５に向かって下方に傾斜していることを特徴とする。
【００１１】
このように、床部３を開口部５に向かって下方に傾斜させることにより、床部３上に落下する解体片７を留まらせることなく開口部５に向かって転がらせ、自然に落下させることができる。
【００１２】
請求項４に記載の発明は、請求項１から３のいずれか一項に記載の筒状構造物解体における内設物防護構造において、例えば図１に示すように、前記内設物を取り囲むように組み立てられ、前記筒状構造物の内壁面に固定される鉄骨架台６を備え、この鉄骨架台６に前記床部３および壁部４が取り付けられていることを特徴とする。
【００１３】
このように、内設物を取り囲むように鉄骨架台６を組み立て、筒状構造物の内壁面に固定し、この鉄骨架台６に床部３および壁部４を取り付けることにより、上方から落下する解体片７等の衝撃を筒状構造物で支持することができ、内設物を堅固に防護することができる。
【００１４】
請求項５に記載の発明は、請求項１から４のいずれか一項に記載の筒状構造物解体における内設物防護構造において、例えば図１に示すように、前記床部３はコンクリートスラブであり、前記壁部４は鉄板であることを特徴とする。
【００１５】
このように、床部３をコンクリートスラブで形成し、壁部４を鉄板で形成することにより、大きな衝撃を受ける床部３に強度の大きい部材を用い、比較的衝撃の少ない壁部４に比較的強度の小さい部材を用いて、効率的に内設物を防護し、施工手間やコストを抑えることができる。
【発明の効果】
【００１６】
請求項１に記載の発明によれば、筒状構造物を解体する際に、解体される筒状構造物の内部にある内設物の上方に設けられる床部を備え、この床部には内設物のない領域の上方に開口部が設けられているため、上方から落下してくる解体片等が床部によって遮られ、その開口部を通して筒状構造物の底部へと落下し、内設物が解体片等から防護される。
【００１７】
請求項２に記載の発明によれば、内設物の開口部側の側方に設けられる壁部を備えているため、開口部を斜め方向に通過して落下する解体片等が壁部によって遮られ、内設物が解体片等から防護される。
【００１８】
請求項３に記載の発明によれば、床部は開口部に向かって下方に傾斜しているため、床部上に落下する解体片が留まることなく開口部に向かって転がり、自然に落下される。
【００１９】
請求項４に記載の発明によれば、内設物を取り囲むように組み立てられ、筒状構造物の内壁面に固定される鉄骨架台を備え、この鉄骨架台に床部および壁部が取り付けられているため、上方から落下する解体片等の衝撃が筒状構造物で受け止められ、内設物が堅固に防護される。
【００２０】
請求項５に記載の発明によれば、床部はコンクリートスラブであり、壁部は鉄板であるため、強度の大きい部材が大きな衝撃を受ける床部に用いられ、比較的強度の小さい部材が比較的衝撃の少ない壁部に用いられて、内設物が効率的に防護され、施工手間やコストが抑えられる。
【発明を実施するための最良の形態】
【００２１】
以下、図を参照して本発明を実施するための最良の形態を詳細に説明する。
図１に示すように、筒状構造物は、内部が中空とされ、鉄筋コンクリートにより構築された煙突１である。煙突１の径は、頂部から底部に向けて拡大された形状となっている。この煙突１は老朽化して使用しておらず、煙突１のある高さまでは建築物である工場１１の内部にある。
【００２２】
ここで、この煙突１の内部には、そのスペースを利用して、径が９００ｍｍの蒸気配管２（内設物）が設置されている。この蒸気配管２はその伸縮を吸収するに一定の間隔で伸縮用曲がりを必要とし、その伸縮用曲がりが煙突１の内部にほぼＵ字状に煙突１の内壁面に沿って設置されている。煙突１を解体する際に、落下してくる解体片７等により蒸気配管２が破損すれば、工場１１が完全に停止となり、近隣にもものすごい騒音が発生し、人身事故にもつながりかねない状況となる。
【００２３】
そこで、本実施の形態の筒状構造物解体における内設物防護構造は、図２，３に示すように、解体される煙突１の内部にある蒸気配管２の上方に設けられる床部３を備えている。そして、床部３には蒸気配管２のない領域、すなわち煙突１の断面中央に位置して、開口部５が円形状に形成されて設けられている。また、蒸気配管２の開口部５側の側方に設けられる壁部４を備えている。さらに、蒸気配管２を取り囲むように組み立てられ、煙突１の内壁面に固定される鉄骨架台６を備え、この鉄骨架台６に床部３および壁部４が、取り付けられている。
【００２４】
床部３は、大きな衝撃を受けるため、鉛直方向の厚みが３００ｍｍのコンクリートスラブとし、開口部５に向かって下方に傾斜している。壁部４は、比較的衝撃が少ないため厚さ１２ｍｍの鉄板としている。また、防護構造は、煙突１の内壁面と床部３、床部３と壁部４と境界に解体片が入り込まないように、隙間なく構築する。
【００２５】
床部３で上方から落下してくる解体片７等を遮り、また壁部４で開口部５を斜め方向に通過して落下する解体片７等を遮り、開口部５を通して解体片７等を落下させるので、蒸気配管２を解体片７等から防護しながら、煙突１を解体することができる。また、床部３を傾斜させて床部３上に落下する解体片７を留まらせることなく開口部５に向かって転がらせ、自然に落下させることができる。
【００２６】
鉄骨架台６は、Ｈ形鋼などの鋼材で構成されている。具体的には、床部３を支える斜め方向に配される上部鋼材６ａと、壁部４を取り付けるほぼ鉛直に配される側部鋼材６ｂと、ほぼ水平方向に配される下部鋼材６ｃとからなる。上部鋼材６ａおよび下部鋼材６ｃの一端部を、煙突１の筒身に打ち込まれたケミカルアンカー６ｄ等を介して接合して固定し、それらの他端部を、それぞれ側部鋼材６ｂの上端部、下端部に接合して蒸気配管２から所定の間隔をおいて組み立てたものを１組とし、開口部５を中心として複数組が放射状に配置されている。
【００２７】
このように、蒸気配管２を取り囲んで鉄骨架台６を組み立て、その上方をコンクリートスラブの床部３、側方を鉄板の壁部４で効率的に防護しているので、施工手間やコストを低減できる。
【００２８】
次に、上記構成からなる防護構造により蒸気配管２を防護しながら、煙突１を解体する方法について説明する。煙突１の工場１１の屋上よりも高い部分を解体しようとするものである。まず、図１に示すように、単管足場８（本足場）を、工場１１の屋上から煙突１の頂部付近まで、煙突１の周囲にその外周に沿って組み立てる。単管足場と煙突１との間に、煙突１の円周及び鉛直方向に所定の間隔で壁つなぎを適宜設けて連結する。また、単管足場８には、作業員が上り下りするための昇降階段９を、煙突１の外周に沿うようにして適宜位置に設ける。なお、足場としては、枠組足場、ブラケット足場、鋼管パイプによる足場等でもよく、また、これらが適宜組み合わさったものでもよい。
【００２９】
単管足場８の外周の足場材を煙突１の頂部高さよりも所定高さ突出させ、この足場の上部付近、例えば４段程度の足場の外周を養生シート１０で覆う。これにより、解体作業によって生じる粉塵等の周囲への飛散を防止することができる。
【００３０】
また、煙突１内において、蒸気配管２を取り囲むように鉄骨架台６を組み立て、煙突１の内壁面に固定する。そして、この鉄骨架台６の上部に床部３であるコンクリートスラブを形成し、開口部５側の側部に壁部４である鉄板を取り付ける。
【００３１】
次に、鉄筋コンクリート構造物である煙突１を、コンクリートカッタ等で破砕し、露出した鋼材を切断して、解体する。これらの破砕したコンクリートブロック片および切断された鋼材片の解体片７は、煙突１の中空部を通して落下する。落下する途中、蒸気配管２が配置されている場所で、床部３や壁部４にぶつかりながら、開口部５を通過して、煙突１の底部に堆積する。堆積した解体片７は、下部開口（図示せず）から適宜取り除かれる。
【００３２】
コンクリートおよび鋼材の破砕の大きさおよび切断長さは、煙突１内を落下する際、開口部５に引っ掛かったりしないような大きさおよび長さのブロック片および鋼材片とする。
【００３３】
このように、蒸気配管２の周囲にホッパー状の養生床を設けて、落下してくる解体片７等により蒸気配管２を破損することなく、つまり、工場１１を停止させることなく、事故も起こすことなく、煙突１を解体することができる。
【００３４】
なお、以上の実施の形態においては、解体対象を鉄筋コンクリートの煙突としたが、本発明はこれに限定されるものではなく、鋼製の煙突でもよく、その他の解体できる筒状構造物でもよい。
また、床部、壁部または鉄骨架台の形状等は、防護する内設物の形状等に応じて適宜に変更可能であり、その他、具体的な細部構造等についても適宜に変更可能であることは勿論である。
【図面の簡単な説明】
【００３５】
【図１】本発明を適用した一実施の形態における煙突の解体の様子を示す全体断面図である。
【図２】本発明を適用した一実施の形態の煙突内の配管防護構造を示す平面図である。
【図３】本発明を適用した一実施の形態の煙突内の配管防護構造を示す断面図である。
【符号の説明】
【００３６】
１  煙突（筒状構造物）
２  蒸気配管（内設物）
３  床部
４  壁部
５  開口部
６  鉄骨架台
６ａ  上部鋼材
６ｂ  側部鋼材
６ｃ  下部鋼材
６ｄ  ケミカルアンカー
７  解体片
８  単管足場
９  昇降階段
１０  養生シート
１１  工場
【図１】
2006029001.tif 000003
【図２】
2006029001.tif 000004
【図３】
2006029001.tif 000005